(57)【要約】      （修正有）【課題】パークゴルフのルールはゴルフ同様で、より少ない打数でカップインすることを目的としている。ゴルフ同様にパークゴルフにおいてもパター精度に成績が左右されるために、このパター練習が必要となるが、パークゴルフ用のパター練習具が存在しないため、必要かつ十分なパター練習が難しいのが現状である。パークゴルフにおけるパター練習に有効なる用具を提供する。【解決手段】任意形状の中空ケースを設け、該ケースに開口部を設けるとともに、開口部を塞ぐように湾曲形状の球受け板を設け、開口部内に弾力板を立設したことを特徴とする。【選択図】図５
2011125654.tif 000002
【特許請求の範囲】
【請求項１】
任意形状の有底中空ケースを設け、該ケースに開口部を設けるとともに、開口部内に湾曲形状の球受け板を設け、該球受け板と所定距離を有して開口部内底部上に弾力板を立設したことを特徴とするパークゴルフ練習具。
【発明の詳細な説明】
【技術分野】
【０００１】  この発明は、パークゴルフにおけるパター練習に有効なる用具に関する。
【背景技術】
【０００２】  従来より、ゴルフのパター練習具は種々市販されているが、パークゴルフのパター練習に用いる用具は現在のところ見あたらない。
【発明の開示】
【発明が解決しようとする課題】
【０００３】  パークゴルフは、昭和後期に北海道幕別町で発祥し、現在は全国に普及して競技人口は数十万人を擁するまでになっている。パークゴルフはゴルフに比べて球が大きく、その飛距離も限られ、打球用のクラブ数も少なくてすむため、老若男女を問わず手軽に競技を楽しむことができる特徴を有し、ゴルフほどの大きなプレー面積を必要としない。ルールはゴルフ同様で、より少ない打数でカップインすることを目的としている。ゴルフ同様にパークゴルフにおいてもパター精度に成績が左右されるために、このパター練習が必要となるが、前述のようにパークゴルフ用のパター練習具が存在しないため、必要かつ十分なパター練習が難しいのが現状である。
本発明は以上に鑑み、誰でも容易にパター練習をすることのできる新規かつ有用なる用具を提供することを目的として発明したものである。
【課題を解決するための手段】
【０００４】  課題を解決する手段として本発明は以下の構成とした。
すなわち、任意形状の有底中空ケースを設け、該ケースに開口部を設けるとともに、開口部内に湾曲形状の球受け板を設け、該球受け板と所定距離を有して開口部内底部上に弾力板を立設する。本発明は以上の構成よりなるパークゴルフ練習具である。
【発明の効果】
【０００５】  本発明は下記の効果を有する。
１．コンパクトな箱形状のため、持ち運びおよび収納性に優れている。
２．湾曲した球受け板を用いることにて、球衝突による打撃を緩和することができる。
３．復帰可能な弾力板を立設したので、打たれた球の方向正確度を容易に知ることができ  る。
４．球置マットを併用することにて、打撃前の球位置設定が容易である。
【発明を実施するための最良の形態】
【０００６】  以下、本発明の実施形態について説明する。
図において、１は直方体形状中空のケースで、その上面は半円形に切断されるとともに、円弧形両端から垂直に下降する切断部を有して、図５にて示すようにケースの一部は展開して蓋２が開くように形成されている。この蓋の中間部には線状凹部３，４が設けられて、蓋を折り畳んでもとのケース形状に復帰が可能となっている。
ケース背面上部には係止具５が設けられる。この係止具は市販の袋形封筒に多用されているものと同様の構成で、軸に小円板が取り付けられており、この軸にて小円板とケース外面とがわずかの距離を持って位置し、蓋の上面先端近傍にその一端を固着したひも６の他端をこの軸に巻回することにて、蓋はケースに固定されるよう構成されている。
７は球受け板で、前記半円形部分と同一の半円形状に形成された適宜厚の硬質合成樹脂板であって、図のごとくケースに前記半円形切断部に一致させてケースに固着される。
８は弾力板で、横断面がゆるやかな円弧形の鋼板製小板体である。この弾力板下端はＬ形に折曲され、適宜サイズの金属板端部下面に折曲部分が固着され、円弧形凸部を外方に向けて球受け板円弧の中心近傍のケース開口部底部上面に該金属板とともに固着立設される。従って、弾力板は押圧にて、この固着部を変形中心として折曲可能であるとともに、押圧解除時はその弾力性にて元の位置に復帰が可能である。９は適宜厚の長方形状ゴムシートによる球置マットで、その一端近傍に球置孔１０が穿設される。【０００７】  本発明を使用するには、まず蓋を閉めた状態のケースを練習場所の床面に置き、係止具に巻回しているひもを外して蓋を開け、図７のごとく床面上に展開する。
次に、このケースより適当距離をおいて球置マットを床面に置き、球置孔に球１１をのせ、弾力板を目標にしてクラブで球を打つ。球は打撃にて床面を転がり、弾力板に近づき、やがて弾力板に接して押圧し、弾力板は折曲状態となる。弾力板はゆるやかな湾曲凸面を有しているので、球は弾力板両サイドのいずれかに移動して外れる。球による押圧は解除され、弾力板はその弾性にて元の位置に復帰する。このように球にて弾力板の変形と復帰がなされ、これを視認することにて球が弾力板すなわち目標位置に達したかどうかが容易にわかるので、パット方向と強さの正確度を知ることができる。
目標よりわずかに方向が異なると、球の中心と弾力板の中心はずれることとなり、弾力板の変形は不十分となる。方向ずれが大きい場合は、球は弾力板に接することがなく、その変形は発生しない。球受け板は半円形状であり、球はこの板への衝突にてその進行方向が変わるので、衝突力は緩和され、球受け板の損傷を防ぎ、この球受け板の材質と厚さにて所定の重量となるので、練習時のケース位置ずれを緩和することができる。
球受けマットには球置き孔が設けられており、ここに球をのせることにて載置された球位置は安定し、ゴムシートなどの高摩擦部材にて該マットを形成することにて、床面に対する該マット位置を安定させることができる。なお、この球置きマット全長は、球受け板全長よりわずかに短く、その幅はケース高さより少ない。従って、不使用時は図５の仮想線のごとく、球受け板内面に接してケース内に位置させることができる。【０００８】  以上、本発明について記したが、本発明は球の弾力板への衝突にて弾力板の変形を目視にて把握し、球の打撃が適切かどうかを容易に知ることができるところにその特徴を有するものである。従来はこのような用具がなく、効率的なパター練習が困難であったが、本発明にてこれが可能となったのである。また、本発明は小型のケース内に各部が存在するので、持ち運びや収納が容易である。本発明ケースの材質は、木、紙、合成樹脂など任意のものが使用でき、ひもの係止手段は他のものでもよい。また、蓋に線状凹部を設けており、蓋をたたんで直方体形状の箱体とすることが容易である。弾力板は折曲時に視認が容易なサイズであればよく、着色にてより視認が容易となる。球受け板は湾曲形状のため、球の衝突時の押圧ベクトルにてケースへの影響を小とする効果を有する。
なお、例示は実施の一例であり、近似の他の構成とすることができる。
以上のごとく、本発明にてパークゴルフにおける有効なるパター練習を可能とする有用なる手段を得ることができる。
【図面の簡単な説明】
【０００９】
【図１】  本発明の平面図
【図２】  本発明の正面図
【図３】  本発明の背面図
【図４】  本発明の球置マットの平面図
【図５】  本発明の展開斜視図
【図６】  本発明の機能説明図
【図７】  本発明の使用説明図
【符号の説明】
【００１０】  １  ケース
２  蓋
５  係止具
６  ひも
７  球受け板
８  弾力板
９  球置マット
１０  球置孔
１１  球
【図１】
2011125654.tif 000003
【図２】
2011125654.tif 000004
【図３】
2011125654.tif 000005
【図４】
2011125654.tif 000006
【図５】
2011125654.tif 000007
【図６】
2011125654.tif 000008
【図７】
2011125654.tif 000009